(57)【要約】【課題】消防用ホースが高い識別性を有すること。【解決手段】筒状のホース本体１０と、ホース本体１０を扁平に潰した状態で屈曲する部分に位置し、第１の色Ｑ１の色糸を有する耳部１４と、ホース本体１０を扁平に潰した状態で扁平である部分に位置し、第１の色Ｑ１とは異なる第２の色Ｑ２の色糸を有する腹部１３とを備える。【選択図】図２
2014200548.tif 000002
【特許請求の範囲】
【請求項１】
筒状のホース本体と、
前記ホース本体を扁平に潰した状態で屈曲する部分に位置し、第１の色の色糸を有する耳部と、
前記ホース本体を扁平に潰した状態で扁平である部分に位置し、前記第１の色とは異なる第２の色の色糸を有する腹部とを備えることを特徴とする消防用ホース。
【請求項２】
筒状のホース本体と、
前記ホース本体を扁平に潰した状態で屈曲する部分に位置し、第１の色の色糸を有する耳部と、
前記ホース本体を扁平に潰した状態で扁平である部分に位置し、前記ホース本体の長さ方向に沿って形成され、前記第１の色と異なる第２の色の主色糸帯と、前記ホース本体の長さ方向に沿って形成され、前記第１、第２の色と異なる第３の色の副色糸帯とを有する腹部とを備えることを特徴とする消防用ホース。
【発明の詳細な説明】
【技術分野】
【０００１】
本発明は、表面が色分けされた消防用ホースに関する。
【背景技術】
【０００２】
一般に、ビル等の建物内の消火活動に用いられる消防用ホースは、扁平に潰して巻きとられた状態や折り畳まれた状態で搬送され、使用時には展張される。
【０００３】
一方、消火活動の際は、多くの消防署等の拠点から多くの消防用ホースが火災現場に集められることから、使用後に消防用ホースを回収する際、他の拠点の消防用ホースと混同する虞がある。この対策として、拠点を示すマークを消防用ホースに付す方法が知られている（例えば、特許文献１参照。）。また、消防用ホースの表面の色を拠点毎に異なる色としたり、薄い色と濃い色の縞模様としたりする方法も同様に知られている（例えば、特許文献２参照。）。
【先行技術文献】
【特許文献】
【０００４】
【特許文献１】特開２００９−１５０５２２号公報
【特許文献２】特開２００５−０４８９２６号公報
【発明の概要】
【発明が解決しようとする課題】
【０００５】
上述した消防用ホースでは、次のような問題があった。すなわち、消防用ホースの拠点を示すマークを消防用ホースに付す方法では、ホースの全長に渡ってマークを付すことは困難である。
【０００６】
また、ホース表面の色を変える方法や、ホース表面に色糸の使用と塗装により薄い色と濃い色の縞模様を形成する方法では、色の設定や組み合わせに限りがある。このため、識別性が十分ではなく、拠点が多い場合には、ホースの回収に手間取る問題があった。
【０００７】
そこで本発明は、高い識別性を有する消防用ホースを提供することを目的としている。
【課題を解決するための手段】
【０００８】
前記課題を解決し目的を達成するために、本発明の消防用ホースは次のように構成されている。
【０００９】
筒状のホース本体と、前記ホース本体を扁平に潰した状態で屈曲する部分に位置し、第１の色の色糸を有する耳部と、前記ホース本体を扁平に潰した状態で扁平である部分に位置し、前記第１の色とは異なる第２の色の色糸を有する腹部とを備えることを特徴とする。
【００１０】
筒状のホース本体と、前記ホース本体を扁平に潰した状態で屈曲する部分に位置し、第１の色の色糸を有する耳部と、前記ホース本体を扁平に潰した状態で扁平である部分に位置し、前記ホース本体の長さ方向に沿って形成され、前記第１の色と異なる第２の色の主色糸帯と、前記ホース本体の長さ方向に沿って形成され、前記第１、第２の色と異なる第３の色の副色糸帯とを有する腹部とを備えることを特徴とする。
【発明の効果】
【００１１】
本発明によれば、高い識別性を有することが可能となる。
【図面の簡単な説明】
【００１２】
【図１】本発明の第１の実施の形態に係る消防用ホースを示す側面図。
【図２】同消防用ホースの要部を一部破断して示す斜視図。
【図３】本発明の第２の実施の形態に係る消防用ホースの要部を一部破断して示す斜視図。
【発明を実施するための形態】
【００１３】
図１は本発明の第１の実施の形態に係る消防用ホース１を示す側面図、図２は消防用ホース１の要部を一部破断して示す斜視図である。
【００１４】
消防用ホース１は、筒状のホース本体１０と、ホース本体１０の基端側の開口部と液密に連通して設けられる流入部５０と、ホース本体１０の先端側の開口部と液密に連通して設けられる流出部６０とを備えている。流入部５０は消火剤供給部Ｓと液密に着脱可能であり、流出部６０は放水用ノズルＴと液密に着脱可能である。消火剤供給部Ｓは、消火剤を供給する消火栓Ｓ１と、流入部５０に消火剤を案内する案内ホースＳ２とを有する。なお、消火剤は水等の消火に使用される物質であり、水の他に粉体等も含まれる。
【００１５】
ホース本体１０は、扁平に潰された状態で扁平面となる腹部１３と、扁平に潰す際に屈曲する耳部１４とを備えている。
【００１６】
ホース本体１０の外周面の、腹部１３と耳部１４との境界には、緑色の境界線１５が設けられている。腹部１３の外周面の、周方向中央部には、緑色の柄線１６がホース本体１０の長さ方向に沿って設けられている。柄線１６は、ホースの種類を区別する機能を有している。
【００１７】
腹部１３の外周面の色糸の色は、境界線１５の色、柄線１６の色とは異なる第１の色Ｑ１である。また、耳部１４の外周面の色糸の色は、境界線１５の色、柄線１６の色、第１の色のいずれとも異なる第２の色Ｑ２である。第１の色Ｑ１、第２の色Ｑ２は、例えば、それぞれ赤色、黄色である。
【００１８】
消防用ホース１は、第１の色Ｑ１と第２の色Ｑ２の組み合わせにより、多くのバリエーションをつけることが可能である。このため、消防署等の拠点の数に対応させて消防用ホース１のバリエーションをつけることができ、高い識別性を有している。
【００１９】
上述のように形成された消防用ホース１は、第１の色Ｑ１と第２の色Ｑ２の組み合わせにより、高い識別性を有し、消火活動後の消防用ホース１の回収を効率的に行うことができる。
【００２０】
上述したように、本発明の第１の実施の形態に係る消防用ホース１０によれば、高い識別性を有することが可能である。
【００２１】
図３は、本発明の第２の実施の形態に係る消防用ホース１Ａを一部破断して示す斜視図である。なお、図３において、図１、図２と同一機能部分には同一符号を付し、その詳細な説明は省略する。
【００２２】
消防用ホース１Ａの腹部１３には、ホース本体１０の長さ方向に沿って、主色糸帯１７、副色糸帯１８が設けられている。
【００２３】
主色糸帯１７の色は上述した第２の色Ｑ２である。副色糸帯１８の色は、境界線１５の色、柄線１６の色、第１の色Ｑ１、第２の色Ｑ２のいずれとも異なる第３の色Ｑ３である。第３の色Ｑ３は、例えば青色である。
【００２４】
消防用ホース１Ａは、第１の色Ｑ１、第２の色Ｑ２、第３の色Ｑ３の組み合わせにより、多くのバリエーションをつけることが可能である。消防用ホース１Ａは、主色糸帯１７と副色糸帯１８の、ホース本体１０の周方向の寸法を変えることで、更に多くのバリエーションをつけることが可能である。このため、消防署等の拠点の数に対応させて消防用ホース１のバリエーションをつけることができ、十分な識別性を有している。
【００２５】
上述のように形成された消防用ホース１Ａは、第１の色Ｑ１、第２の色Ｑ２、第３の色Ｑ３の組み合わせと、主色糸帯１７、副色糸帯１８の寸法により、高い識別性を有し、消火活動後の消防用ホース１の回収を効率的に行うことができる。
【００２６】
上述したように、本発明の第２の実施の形態に係る消防用ホース１Ａによれば、高い識別性を有することが可能である。
【００２７】
なお、本発明は前記実施の形態に限定されるものではない。柄線及び境界線を緑色としているが、青色や赤色であってもよい。この他、本発明の要旨を逸脱しない範囲で種々変形実施可能であるのは勿論である。
【符号の説明】
【００２８】
１,１Ａ…消防用ホース、１０…ホース本体、１３…腹部、１４…耳部、１５…境界線、１６…柄線、１７…主色糸帯、１８…副色糸帯。
【図１】
2014200548.tif 000003
【図２】
2014200548.tif 000004
【図３】
2014200548.tif 000005